【手続補正書】
【提出日】平成27年2月6日(2015.2.6)
【手続補正１】
【補正対象書類名】明細書
【補正対象項目名】００３１
【補正方法】変更
【補正の内容】
【００３１】
さらなる実施形態において、コンデンサは、凝縮区域と再加熱区域の伝熱媒体面上で伝熱媒体の流れを分離する流れ制限要素をさらに含み、凝縮区域と再加熱区域とを熱分離するという利点を伴う。
【手続補正２】
【補正対象書類名】明細書
【補正対象項目名】００４１
【補正方法】変更
【補正の内容】
【００４１】
固定要素として管ショルダーを有するコンデンサのさらなる実施形態において、制限要素は、狭い端部と広い端部とを有し、かつ、その広い端部が、制限要素の動きが制限されるように管壁の固定ショルダーと機械的に係合して使用されるように構成された、１つ又はより多くのシート型要素をさらに含み、結合された液滴合体要素及び固定要素にわたり最小限の追加の圧力損失で、液滴合体要素の位置を固定するという利点をもたらす。
【手続補正３】
【補正対象書類名】明細書
【補正対象項目名】００４３
【補正方法】変更
【補正の内容】
【００４３】
本発明の代替的な実施は、プロセスガス中の硫酸及び／又は発煙硫酸を凝縮する方法であって、
（ｉ）プロセスガスを、本発明による硫酸凝縮段を通過させる工程であって、インレット温度が硫酸の露点を超える、該工程、
（ｉｉ）プロセスガスを、硫酸の露点未満に冷却する工程、
（ｉｉｉ）硫酸を凝縮し、そして回収する工程、及び
（ｉｖ）プロセスガスを、コンデンサ段で硫酸の露点を上回るまで再加熱する工程、
を含む、該方法であり、下流の凝縮の危険性を取り除くため、コンデンサ下流の耐腐食性材料の必要性を低減する従来技術を超える利点をもたらす。
【手続補正４】
【補正対象書類名】明細書
【補正対象項目名】００４６
【補正方法】変更
【補正の内容】
【００４６】
本発明のさらなる実施形態において、プロセスガス中の硫酸及び／又は発煙硫酸の製造方法は、
（ｅ）前記工程（ｄ）から得られるプロセスガス流をさらに再加熱し、
（ｆ）そしてこのプロセスガスを、１つ又はより多くの触媒床において残存するＳＯ２がＳＯ３へ酸化される第２のＳＯ２転化工程を通過させる工程、
（ｇ）前記プロセスガスを、その硫酸の露点を０〜１００℃上回る温度に冷却する工程、及び
（ｈ）前記プロセスガスを引き続き最終凝縮段へ送る工程、
をさらに含み、その際、コンデンサ段（ｄ）及び（ｈ）の少なくとも１つが、本発明の方法に従って操作され、高いレベルの二酸化硫黄が排除されるという利点を伴う。
【手続補正５】
【補正対象書類名】明細書
【補正対象項目名】００５１
【補正方法】変更
【補正の内容】
【００５１】
【図１】図１は、従来技術の、ＳＯ２含有プロセスガスからＨ２ＳＯ４を製造するためのプロセスレイアウトを示す図である。
【図２】図２は、本発明のコンデンサを用いた、本発明の実施形態による、ＳＯ２含有プロセスガスからＨ２ＳＯ４を製造するためのプロセスレイアウトを示す図である。
【図３】図３は、本発明のいくつかの実施形態で使用されるコンデンサ管を示す図である。
【図４】図４は、本発明のいくつかの実施形態で使用される固定要素を含む管を示す図である。
【図５】図５は、本発明のいくつかの実施形態で使用される制限要素の例を示す図である。
【手続補正６】
【補正対象書類名】明細書
【補正対象項目名】００５４
【補正方法】変更
【補正の内容】
【００５４】
プロセスの具体的な実施形態において、プロセスガス１００は、第１の触媒反応器１４０へ送られ、そこで、ＳＯ２の大部分の酸化が起こる。この第１の触媒反応器は、１つの触媒床又は多数の触媒床を有するよう設計することができ、二酸化硫黄の量が多すぎる場合、ＳＯ２とＳＯ３との間の平衡によって第１のコンデンサ１４２へのインレットプロセスガス１０２が制限されないよう、低減された温度で反応を行うために、例えば、熱交換機１３０及び１３２で反応熱を回収するのが望ましい。
【手続補正７】
【補正対象書類名】明細書
【補正対象項目名】００５７
【補正方法】変更
【補正の内容】
【００５７】
典型的には、冷却区域１５０は熱交換機であり、そこでは空気のような伝熱媒体が、プロセスガスに対して向流で流れる。向流で流れることの利点は、プロセスガスの流れの方向で温度が低減され、それにしたがって、凝縮の可能性が増大する点である。それにより、凝縮の最大レベルが得られる。
【手続補正８】
【補正対象書類名】明細書
【補正対象項目名】００６３
【補正方法】変更
【補正の内容】
【００６３】
代替的な実施形態において、ガラス管の内側の流れは、凝縮し得るＨ２ＳＯ４を含有するプロセスガスであり、それにより、凝縮は管の内側で生じ、かつ、凝縮物は、コンデンサの底部区域内に集められ、これは、ガスインレット、すなわち、コンデンサの端部隣接部のレベル以下であることができる。この場合、伝熱媒体面上の流れ制限要素１５４は、プロセスガスを冷却区域１５０中で冷却するための冷温伝熱媒体を、確実にプロセスガス再加熱区域１５２の伝熱媒体面に進入させるのに貢献する。加熱された伝熱媒体が、再加熱区域へ送られる時、流れ制限要素１５４の低温面に対する圧力は、典型的に、その高温面よりも高い場合があり、そのため、流れ制限要素１５４は、たとえ絶対的な気密性が要求されなくても、伝熱媒体について実質的に流れ漏れがないよう、例えば、ＰＴＦＥ又はＰＦＡを含むフルオロポリマーのような耐腐食性材料のガスケットを設けることによって、設計されなければならない。
【手続補正９】
【補正対象書類名】特許請求の範囲
【補正対象項目名】全文
【補正方法】変更
【補正の内容】
【特許請求の範囲】
【請求項１】
プロセスガス面及び伝熱媒体面を有する硫酸コンデンサであって、
前記コンデンサは、凝縮面のインレットへ硫酸を含有する高温プロセスガスを供給するために構成されており、かつ、
冷却されたプロセスガスを、凝縮面のアウトレットから回収するようさらに構成されており、かつ、
コンデンサの一端に近接する位置で硫酸又は発煙硫酸の凝縮物を回収するよう、さらに構成されており、かつ、
前記コンデンサは、冷温伝熱媒体インレット及び加熱された伝熱媒体アウトレットを有するように構成されたプロセスガス冷却区域、及び、
前記プロセスガスを再加熱するよう構成された、該プロセスガス冷却区域の下流のプロセスガス再加熱区域に分割されたプロセスガス面を有する、上記のコンデンサ。
【請求項２】
前記コンデンサが、前記プロセスガス再加熱区域のプロセスガス面が、加熱された伝熱媒体からの熱エネルギーを受容するように構成されている、請求項１に記載のコンデンサ。
【請求項３】
前記再加熱区域中で前記伝熱媒体及び前記プロセスガスが向流で流れるように構成される、請求項２に記載のコンデンサ。
【請求項４】
前記再加熱区域中で、前記伝熱媒体及び前記プロセスガスが直交流で作用するように構成される、請求項２に記載のコンデンサ。
【請求項５】
前記コンデンサが、プロセスガス面を、熱交換媒体面からガラスで分離するように構成される、請求項１〜４のいずれか一つに記載のコンデンサ。
【請求項６】
１つ又はより多くのガラス管であって、該ガラス管は、その内面上のプロセスガスの流れ、及び該ガラス管の外側面上の伝熱媒体の流れを有するように構成された、上記の１つ又はより多くのガラス管を含む、請求項５に記載のコンデンサ。
【請求項７】
１つ又はより多くのガラス管であって、該ガラス管は、その内面上の伝熱媒体の流れ、及び該ガラス管の外側面上のプロセスガスの流れを有するように構成された、上記の１つ又はより多くのガラス管を含む、請求項６に記載のコンデンサ。
【請求項８】
前記凝縮区域及び再加熱区域の伝熱媒体面の伝熱媒体の流れを分離する流れ制限要素をさらに含む、請求項１〜７のいずれか一つに記載のコンデンサ。
【請求項９】
プロセスガス中の硫酸及び／又は発煙硫酸を凝縮する方法であって、
（ｉ）該プロセスガスを、インレット温度が硫酸の露点を上回る、請求項１〜９のいずれか一つに記載の硫酸凝縮段を通過させる工程、
（ｉｉ）該プロセスガスを硫酸の露点未満に冷却する工程、
（ｉｉｉ）硫酸を凝縮して回収する工程、及び
（ｉｖ）前記コンデンサ段内で前記プロセスガスを硫酸の露点を上回るまで再加熱する工程、
を含む、上記の方法。
【請求項１０】
前記工程（ｉｖ）における再加熱後のコンデンサ段からのアウトレットにおける前記プロセスガスの温度が、硫酸の露点より少なくとも１０℃高い、請求項１０に記載の方法。
【請求項１１】
プロセスガス中の硫酸及び／又は発煙硫酸の製造方法であって、
（ａ）０．１〜３０モル％のＳＯ２を含有する供給プロセスガスを供給する工程、
（ｂ）該供給プロセスガスを、１つ又はより多くの触媒床においてＳＯ２がＳＯ３へ酸化される、第１のＳＯ２転化工程を通過させる工程、
（ｃ）前記第１のＳＯ２転化工程からのＳＯ３含有プロセスガスを、プロセスガスの硫酸の露点を０〜１００℃上回る温度に冷却する工程、
（ｄ）前記コンデンサ段が請求項１０又は１１に記載の方法に従って運転される、第１の凝縮段においてプロセスガス中の硫酸を凝縮させる工程、
を含む、上記の方法。
【請求項１２】
（ｅ）前記工程（ｄ）から得られるプロセスガス流をさらに再加熱し、
（ｆ）そしてこのプロセスガスを、１つ又はより多くの触媒床において残存するＳＯ２がＳＯ３へ酸化される第２のＳＯ２転化工程を通過させる工程、
（ｇ）前記プロセスガスを、その硫酸の露点を０〜１００℃上回る温度に冷却する工程、及び
（ｈ）前記プロセスガスを引き続き最終凝縮段へ送る工程、
をさらに含み、その際、コンデンサ段（ｄ）及び（ｈ）の少なくとも１つが、請求項１１又は１２に記載の方法に従って操作される、請求項１２に記載のプロセスガス中の硫酸及び／又は発煙硫酸の製造方法。
【請求項１３】
前記酸化剤が、Ｏ２リッチガスの形態で添加される、請求項１１又は１２に記載の方法。